(57)【要約】【課題】クレードル装置において、ロック爪や傷付き防止のための可動部を設けることなく、デザインの自由度を高めながら安定して携帯電話機を保持できるようにする。【解決手段】収容凹部１２の奥側側壁１４から携帯電話機１の導電性接点５に当接して電気的に接続する弾性を有する導電性端子１７を突出させ、携帯電話機１を収容凹部１２に収容するときに携帯電話機１に形成した嵌合穴６に挿入されると共に、携帯電話機１の動きを規制するガイド用突起１８を収容凹部１２の底壁１５から突出させる。ガイド用突起１８を嵌合穴６に挿入する初期段階で携帯電話機１が導電性接点５に当接するのを防止するように先端１８ａ側を奥側側壁１４から遠ざかるように折り曲げる。【選択図】図１
2015211388.tif 000002
【特許請求の範囲】
【請求項１】
携帯端末を保持可能な収容凹部を有するクレードル本体を備えたクレードル装置において、
上記収容凹部の奥側側壁から突出し、上記携帯端末の導電性接点に当接して電気的に接続する弾性を有する導電性端子と、
上記収容凹部の底壁から突出し、上記携帯端末を上記収容凹部に収容するときに該携帯端末に形成した嵌合穴に挿入されると共に、該携帯端末の動きを規制するガイド用突起とを備え、
上記ガイド用突起は、上記嵌合穴に挿入される初期段階で上記携帯端末が上記導電性端子に当接するのを防止するように先端側が上記奥側側壁から遠ざかるように折り曲げられている
ことを特徴とするクレードル装置。
【請求項２】
請求項１に記載のクレードル装置において、
上記ガイド用突起は、基端側が上記底壁に垂直に延び、中間から先端に向かって徐々に上記奥側側壁から遠ざかるように湾曲している
ことを特徴とするクレードル装置。
【請求項３】
請求項１又は２に記載のクレードル装置において、
上記ガイド用突起の基端側は、先端側に比べて太くなっている
ことを特徴とするクレードル装置。
【請求項４】
請求項１から３のいずれか１つに記載のクレードル装置において、
上記ガイド用突起の基端側には、上記嵌合穴の突起が嵌合する嵌合用凹部が形成されている
ことを特徴とするクレードル装置。
【請求項５】
請求項１から４までのいずれか１つに記載のクレードル装置において、
上記嵌合穴の前側の曲げ半径は、上記ガイド用突起の曲げ半径よりも大きくなっている
ことを特徴とするクレードル装置。
【発明の詳細な説明】
【技術分野】
【０００１】
本発明は、携帯端末を保持可能な収容凹部を有するクレードル本体を備えたクレードル装置に関するものである。
【背景技術】
【０００２】
従来より、この種のクレードル装置は、携帯端末を収容した状態でパソコン等とケーブルで接続してデータを同期させたり、ファイルの送受信をしたり、充電したりするのに使われる。このようなクレードル装置では、例えば、底壁に弾性を有する導電性端子が設けられ、導電性端子の反力によって携帯端末の安定性が損なわれないように、可動式のロック爪などの特別な部品で携帯端末を安定して保持するようにしている。
【０００３】
また、例えば特許文献１のように、携帯端末を受け入れるための凹部が形成された本体が上ケースと下ケースとからなり、上ケースに設けられた凹部の前後内壁面のうち、一方の内壁面を上方に向かって広く開口するように傾斜させるとともに、一方の内壁面にスリットを開穿して給電端子を凹部の内側に突出させ、他方の内壁面を略垂直に形成してその表面には凹部の内側に向けてリブを突設したものも知られている。
【先行技術文献】
【特許文献】
【０００４】
【特許文献１】特開２００２−３３５６３６号公報
【発明の概要】
【発明が解決しようとする課題】
【０００５】
しかしながら、従来のクレードル装置のようにロック爪などの可動式の保持構造を設ければ、部品点数が増えると共に、可動部の故障が発生しやすい。
【０００６】
また、特許文献１のように内壁面に給電端子を設けたものでは、携帯端末の背面に給電端子をこすりながら携帯端末を挿入して保持させなければならず、こすり傷を防ぐには、給電端子の位置を携帯端末の下端側とせざるを得ず、携帯端末及びクレードル装置の形状の制約が大きいという問題があった。
【０００７】
本発明は、かかる点に鑑みてなされたものであり、その目的とするところは、ロック爪や傷付き防止のための可動部を設けることなく、デザインの自由度を高めながら安定して携帯端末を保持できるようにすることにある。
【課題を解決するための手段】
【０００８】
上記の目的を達成するために、この発明では、収容凹部の底壁に、携帯端末の挿入時の動きを規制するガイド用突起を設けた。
【０００９】
具体的には、本発明では、携帯端末を保持可能な収容凹部を有するクレードル本体を備えたクレードル装置を前提とし、
上記クレードル装置は、
上記収容凹部の奥側側壁から突出し、上記携帯端末の導電性接点に当接して電気的に接続する弾性を有する導電性端子と、
上記収容凹部の底壁から突出し、上記携帯端末を上記収容凹部に収容するときに該携帯端末に形成した嵌合穴に挿入されると共に、該携帯端末の動きを規制するガイド用突起とを備え、
上記ガイド用突起は、上記嵌合穴に挿入される初期段階で上記携帯端末が上記導電性端子に当接するのを防止するように先端側が上記奥側側壁から遠ざかるように折り曲げられている。
【００１０】
上記の構成によると、ガイド用突起が、携帯端末を収容凹部に収容する初期段階で、その軌跡を規制するので、携帯端末が弾性を有する導電性端子に傷付けられるのが防止される。このため、導電性端子の設ける位置を収容部の底壁側にしなくてもよくなり、導電性接点の設計自由度が高まる。さらに、ガイド用突起が携帯端末の嵌合穴に嵌合するので、携帯端末を安定して保持するためのロック爪などの可動部を設ける必要がなくなる。
【発明の効果】
【００１１】
以上説明したように、本発明によれば、収容凹部の底壁に、携帯端末を収容凹部に収容するときに携帯端末に形成した嵌合穴に挿入されると共に、携帯端末の動きを規制するガイド用突起を設けたことにより、ロック爪や傷付き防止のための可動部を設けることなく、デザインの自由度を高めながら安定して携帯端末を保持できる。
【図面の簡単な説明】
【００１２】
【図１】本発明の実施形態１に係るクレードル装置に携帯電話機を挿入する様子を示し、（ａ）が導電性端子の近傍の断面図を示し、（ｂ）がガイド用突起の位置の断面図を示す。
【図２】グレードル装置を示し、（ａ）が導電性端子の近傍の断面図を示し、（ｂ）がガイド用突起の位置の断面図を示す。
【図３】ガイド用突起の先端が嵌合穴に挿入されたときの図１相当図である。
【図４】導電性端子が導電性接点に当接するときの図１相当図である。
【図５】携帯電話機の背面が奥側側壁に当接したときの図１相当図である。
【図６】ガイド用突起が完全に嵌合穴に挿入されたときの図１相当図である。
【図７】図３（ｂ）のVII部拡大断面図である。
【図８】本発明の実施形態１に係るクレードル装置を示す斜視図である。
【図９】本発明の実施形態２に係るクレードル装置を示す図２（ｂ）相当図である。
【図１０】本発明の実施形態３に係るクレードル装置を示す図２（ｂ）相当図である。
【図１１】本発明の実施形態４に係るクレードル装置を示す図２（ｂ）相当図である。
【発明を実施するための形態】
【００１３】
以下、本発明の実施形態を図面に基づいて説明する。
【００１４】
図２及び図８は本発明の実施形態１のクレードル装置１０を示し、このクレードル装置１０は、携帯電話機１を保持可能な収容凹部１２を有するクレードル本体１１を備えている。詳しくは図示しないが、クレードル本体１１は、例えば樹脂成形品よりなり、内部に基板１３等が内蔵されている。
【００１５】
一方、図１等に示すように、収容凹部１２には、携帯端末としての携帯電話機１が収容されるようになっている。携帯電話機１は、例えば、正面側に表示部２が設けられた筐体３を備えている。筐体３は、例えば樹脂成形品よりなる。筐体３の背面は、リアプレート４で覆われており、リアプレート４の一部から導電性接点５が露出している。導電性接点５は、通常２本以上、通信を伴うものは、さらに数本必要であり、図示しない内部の回路基板に導通しており、充電や通信が可能となっている。
【００１６】
図２に示すように、収容凹部１２は、上方に向かって奥側に傾斜する奥側側壁１４と、底壁１５と、奥側側壁１４よりも高さが低い前側側壁１６とを備えている。底壁１５は、図６に示すように、携帯電話機１の底面の形状に対応しており、その幅は、携帯電話機１の底面の幅よりも少しだけ広くなっている。
【００１７】
奥側側壁１４の上下中間位置には、図示しないスリットから弾性（バネ性）を有する導電性端子１７が突出している。この導電性端子１７は、押し込まれるとスリットの内部に収容されるように構成され、携帯電話機１の導電性接点５に当接して電気的に接続可能となっている。
【００１８】
そして、本実施形態の収容凹部１２の底壁１５には、ガイド用突起１８が突設されている。このガイド用突起１８の位置は、携帯電話機１に形成した嵌合穴６の位置に対応させる必要があり、ガイド用突起１８は１つでも２つ以上でもよい。このガイド用突起１８により、携帯電話機１を収容凹部１２に収容するときの動きが規制されるようになっている。
【００１９】
具体的には、図７に拡大して示すように、ガイド用突起１８は、先端１８ａ側が奥側側壁１４から前側側壁１６側に向かって折り曲げられている。このように形成することで、嵌合穴６に挿入されるときに携帯電話機１が導電性端子１７に当接するのを防止可能となっている。例えばガイド用突起１８は、基端１８ｂ側が底壁１５に垂直に延び、中間から先端１８ａに向かって徐々に前側側壁１６へ（奥側側壁１４から遠ざかるように）湾曲している。また、嵌合穴６の前側の曲げ半径Ｒ１は、ガイド用突起１８の曲げ半径Ｒ２よりも大きくなっている（Ｒ１＞Ｒ２）。また、嵌合穴６の入り口の幅Ｗ１は、奥側の幅Ｗ２よりも狭くなっている（Ｗ１＜Ｗ２）。
【００２０】
このように構成したクレードル装置１０に携帯電話機１を収容する手順について図面を用いて説明する。
【００２１】
まず、図１に示すように、携帯電話機１を手前側に傾斜させた状態で嵌合穴６にガイド用突起１８が嵌まり込むように近付ける。
【００２２】
次いで、携帯電話機１を徐々に差し込んでいくと、図３及び図７に示すように、ガイド用突起１８の先端１８ａが嵌合穴６の内面に当接しながら挿入される。本実施形態では、嵌合穴６の前側の曲げ半径Ｒ１は、ガイド用突起１８の曲げ半径Ｒ２よりも大きくなっているので、嵌合穴６にガイド用突起１８の先端１８ａを挿入しやすい。このガイド用突起１８の先端１８ａ形状や嵌合穴６の入り口の幅Ｗ１が奥側の幅Ｗ２よりも狭くなっていることにより、携帯電話機１を収容する最初の段階では、携帯電話機１の背面が奥側側壁１４に当接するのが確実に防止される。
【００２３】
次いで、さらに携帯電話機１を下方に挿入していくと、ガイド用突起１８に誘導されながら、徐々に携帯電話機１が垂直に起立していく。そして、図４に示すように、導電性端子１７が導電性接点５に当接する。このように、ガイド用突起１８の形状により導電性端子１７が携帯電話機１の他の部位に当たることなく、導電性接点５にのみ当たるようにすることができる。
【００２４】
さらに携帯電話機１を押し込んでいくと、図５に示すように、導電性接点５に導電性端子１７が押されながらスリット内に移動し、背面が奥側側壁１４に当接する。
【００２５】
さらに携帯電話機１を押し込むと、ガイド用突起１８の基端１８ｂ側が垂直なため、そのまま底壁１５に向かって進み、最後に図６に示すように、携帯電話機１の底面が底壁１５に当接して安定する。
【００２６】
この状態で携帯電話機１を充電したり、通信を行ったりする。
【００２７】
このように、本実施形態では、ガイド用突起１８が、携帯電話機１を収容凹部１２に収容するときの軌跡を規制するので、携帯電話機１の表面が弾性を有する導電性端子１７に傷付けられるのが防止される。このため、導電性端子１７の設ける位置を収容部の底壁１５側にしなくてもよくなり、導電性接点５の設計自由度が高まる。さらに、ガイド用突起１８が携帯電話機１の嵌合穴６に嵌合するので、携帯電話機１を安定して保持するためのロック爪などの可動部を設ける必要がなくなる。
【００２８】
また、本実施形態では、ガイド用突起１８を基端１８ｂ側が底壁１５に垂直に延び、中間から先端１８ａに向かって徐々に前側側壁１６へ湾曲する形状としたので、携帯電話機１を収容する最初の段階では、携帯電話機１の背面が奥側側壁１４に当接するのが確実に防止され、その後は、確実に導電性端子１７に携帯電話機１の導電性接点５が当接すると共に、安定して携帯電話機１が収容される。
【００２９】
したがって、本実施形態に係るクレードル装置１０によると、ロック爪や傷付き防止のための可動部を設ける必要がなくなって部品点数を減らすことができると共に、導電性端子１７によるひっかき傷が発生しないので、導電性接点５の位置の制約が減り、携帯電話機１のデザインの自由度を高めながら安定して携帯電話機１を保持できる。
【００３０】
（その他の実施形態）
本発明は、上記実施形態１について、以下のような構成としてもよい。
【００３１】
すなわち、実施形態２として図９に示すように、ガイド用突起１１８の基端側１１８ａを先端側に比べて太くしてもよい。こうすると、基端側１１８ａが嵌合穴６にしっかりと嵌合して携帯電話機１が安定すると共に、ガイド用突起１１８の強度が増すという利点がある。
【００３２】
また、実施形態３として図１０に示すように、ガイド用突起２１８の基端側に嵌合穴６の内面から突出させた突起（図示略）が嵌合する嵌合用凹部２１８ａを形成してもよい。このように構成すれば、携帯電話機１が確実に保持される。
【００３３】
さらに、実施形態４として図１１に示すように、ガイド用突起３１８の基端側３１８ａも連続して湾曲させてもよい。この場合、導電性端子１７が当接する携帯電話機１の背面の領域を確保しにくいときに有利である。
【００３４】
また、嵌合穴６の奥側に防塵又は防水のためにテープ、パッキン等による封止構造を設けてもよい。
【００３５】
さらに上記ガイド用突起１８，１１８，２１８，３１８はクレードル本体１１に一体成形されているが、別部品として形成してクレードル本体１１に嵌め込むようにしてもよい。
【００３６】
また、詳しくは図示しないが、クレードル装置は、挿入時の邪魔にならないように前側側壁１６がない形状でもよい。
【００３７】
上記実施形態では、携帯端末は、携帯電話機１としたが、タブレット端末、ＰＨＳ（Personal Handy-phone System ）、ＰＤＡ(Personal Digital Assistant)、パソコン、モバイルツール、電子辞書、電卓、ゲーム機等であってもよい。
【００３８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３９】
１      携帯電話機（携帯端末）
２      表示部
３      筐体
４      リアプレート
５      導電性接点
６      嵌合穴
１０      クレードル装置
１１      クレードル本体
１２      収容凹部
１３      基板
１４      奥側側壁
１５      底壁
１６      前側側壁
１７      導電性端子
１８      ガイド用突起
１８ａ    先端 
１８ｂ    基端 
１１８      ガイド用突起 
１１８ａ    基端側 
２１８      ガイド用突起 
２１８ａ    嵌合用凹部 
３１８      ガイド用突起 
３１８ａ    基端側 
【図１】
2015211388.tif 000003
【図２】
2015211388.tif 000004
【図３】
2015211388.tif 000005
【図４】
2015211388.tif 000006
【図５】
2015211388.tif 000007
【図６】
2015211388.tif 000008
【図７】
2015211388.tif 000009
【図８】
2015211388.tif 000010
【図９】
2015211388.tif 000011
【図１０】
2015211388.tif 000012
【図１１】
2015211388.tif 000013